(57)【要約】      （修正有） 【課題】流体の直進力や加速力を高めることができる電動ポンプの提供。  【解決手段】二重反転回転羽は駆動源の駆動力により互いに逆方向に回転し、また前方の軸なし第１反転回転羽と、該第１反転回転羽に対して後方に位置する軸なし第２反転回転羽は、それぞれ一端面から他端面に至るまで流体を一方向へと案内する中空部を有する筒状体と、これらの筒状体の内周面にそれぞれ螺旋状外周端が気密状に固定された幅広の羽本体とから成り、第２反転回転羽は、第１反転回転羽で生じた前方巻き込み流を受け入れ、かつ、逆方向に直しながら後方巻き込み流として圧送する電動ポンプ。【選択図】図１２
2006097494.tif 000002
【特許請求の範囲】
【請求項１】
駆動源の駆動力によりそれぞれ別個に回転する二重反転回転羽と、これらの二重反転回転羽を軸受け手段を介して回転自在に支持する筒状の支持部材とを備えた電動ポンプであって、二重反転回転羽は、該二重反転回転羽の外部に設けられた駆動源の駆動力により互いに逆方向に回転し、また前方の軸なし第１反転回転羽と、該第１反転回転羽に対して後方に位置する軸なし第２反転回転羽は、それぞれ一端面から他端面に至るまで流体を一方向へと案内する中空部を有する筒状体と、これらの筒状体の内周面にそれぞれ螺旋状外周端が気密状に固定された幅広の羽本体とから成り、前記第２反転回転羽は、前記第１反転回転羽で生じた前方巻き込み流を受け入れ、かつ、逆方向に直しながら後方巻き込み流として圧送することを特徴とする電動ポンプ。
【請求項２】
請求項１に於いて、第１反転回転羽及び第２反転回転羽は、それぞれ一端面側を基準にすると、筒状体の環状部分と、この環状部分の内周面に外周端が気密状に固定された羽本体の螺旋状の幅広曲面部分と、この幅広曲面部分の非接続内端で形成された軸なし流体の流路部分から成ることを特徴とする電動ポンプ。
【請求項３】
請求項１に於いて、筒状の支持部材は、ベース板と、該ベース板に設けられた複数枚の対向板と、これらの対向板の中心部に突設され、かつ、回転羽の筒状体の両端部にそれぞれ嵌合する筒状嵌合部とを有し、前記筒状嵌合部に支持された前後の反転回転羽は、前記筒状嵌合部の外周壁に固定的に設けられた複数個の軸受け部材用保持手段を介してそれぞれ回転自在に保持されていることを特徴とする電動ポンプ。
【請求項４】
請求項１に於いて、支持部材には、複数個の固定巻線を有する前後の固定子及びこれらの固定子に対向する前後の反転回転羽がそれぞれ設けられ、また前後の反転回転羽の各外周壁には、固定子に対して空間部分を介して対向する環状永久磁石がそれぞれ配備され、さらに、前後の反転回転羽の回転方向及び回転数は、制御手段に制御されることを特徴とする電動ポンプ。
【請求項５】
請求項１に於いて、ベース板に駆動源としての前後の駆動モータが一対配設され、各駆動モータの駆動力は、それぞれ出力軸に固定された駆動歯車、各駆動歯車とそれぞれ噛合する各筒状体の外周壁側の従動歯車を介して反転回転羽に伝達されることを特徴とする電動ポンプ。
【請求項６】
請求項１に於いて、駆動源６の第１の駆動歯車８を有する駆動軸７の先端部に第１傘歯車２６を固定し、該第１傘歯車２６に連動する歯車装置２７を配設し、前記駆動軸７に対して反対方向に回転し、かつ、第２の駆動歯車８を有する同軸上の従動軸２８を支持部材１１の対向板１３，１３に横設軸架していることを特徴とする電動ポンプ。
【発明の詳細な説明】
【技術分野】
【０００１】
流体を圧送（噴射も含む）するのに適合する電動ポンプに関する。なお、本発明は、動産、不動産を問わず、また、気体、液体を問わず、流体を圧送（噴射も含む）するために用いられる電動ポンプに関する。本発明の用途の一例としては、例えば船の推進装置を挙げることができる。  
【背景技術】
【０００２】
特許文献１には、電動ポンプを含む船の推進装置が記載されている。この電動ポンプは、船の船尾に配設され、エンジンの駆動軸と、この駆動軸の後端部に固定的に設けられ、該駆動軸と同方向に回転する正転プロペラと、前記駆動軸に遊嵌合する筒軸に正転プロペラの前方に位置するように設けられていると共に、二重反転装置によって前記駆動軸とは逆方向に回転する反転プロペラとを備え、船の推進時、前方の反転プロペラで生じた旋回流を後方の正転プロペラで逆方向に整流（極力、ねじれのない流れ）にする。
【０００３】
この特許文献１に記載の電動ポンプは、エンジンの駆動軸の軸方向に駆動源の駆動力によりそれぞれ別個に回転する二重回転羽を配設する点で、前方の反転プロペラで生じる旋回流を後方の正転プロペラで整流することができるから、一応、旋回時のキャビテーションに起因するスリップも発生率が少ないことが認められ、したがって、流体の推進力や加速力が高まるという利点がある。
【０００４】
しかしながら、特許文献１には、該電動ポンプの正転プロペラ及び反転プロペラの具体的な構成については何ら開示されていない。また、正転プロペラ及び反転プロペラは、それぞれ回転軸（駆動軸、筒軸）を有していることから、流体の推進性や加速性、プロペラの耐久性、ポンプ構造のシンプル性などの観点から改良すべき問題点があった。
【０００５】
次に、特許文献２には、二重反転プロペラ用駆動装置が記載されている。この駆動装置は、内外の固定子を同一軸上に配設した誘導電動機を駆動源と、該駆動源の駆動力により回転する反転二重軸の後端部の前後にそれぞれ二重反転プロペラを固定的に設けたものであるが、二重反転プロペラは半径方向にずらした状態で配設されている。しかも、二重反転プロペラの形状は、普通一般に目にする船のスクニュー型（半径方向に延設する葉型）であると共に、特許文献１と同様に主軸を構成としている。したがって、特許文献１と同様に解決すべき問題点があった。
【０００６】
さらに、特許文献３には、二重反転プロペラを備えた船の推進装置が記載されている。この船の推進装置の第２実施例（図３，図４）は、船底の壁面から突出するように船尾に固定された環状支持部材と、この環状支持部材内に軸受け手段を介して回転自在に設けられた回転羽と、該回転羽を回転駆動するように船底の内部に配設された駆動モータとを備え、前記回転羽は、駆動モータ側の駆動歯車と噛合する従動歯車を有する回転筒と、該回転筒の内周壁にそれぞれ周方向に所定間隔離間して配設された複数（例えば合計４枚）の羽本体とから成り、前記羽本体は、幅広外端部が回転筒の内周壁に固定され、その内端部は半径方向内側（軸なし中心部）に延設するにしたがって細幅に形成されている。
【０００７】
この特許文献３に記載の発明は、本願発明と同様の「シャフトレスポンプ」といえる。しかしながら、特許文献３に記載の回転羽の羽本体は、回転筒の内周壁にそれぞれ周方向に所定間隔離間して放射状に配設されていると共に、その内端部は半径方向内側（軸なし中心部）に延設するにしたがって次第に細幅に形成されていることから、羽本体が破損し易い、十分な直進力をえることができない、組み立てが面倒である等の問題点がある。したがって、特許文献３に記載の発明も、特許文献１，２に記載の発明と同様に改良すべき問題点があった。
【特許文献１】特開平８−４０３７４号公報
【特許文献２】特開平９−２４０５９１号公報
【特許文献３】特開平９−１７５４８６号公報
【発明の開示】
【発明が解決しようとする課題】
【０００８】
本発明の第１の目的は、前方の第１反転回転羽で生じた流れ（ここでは「前方巻き込み流」と称する。）を、後方の第２反転回転羽で受け入れ、かつ、逆方向に直しながら圧送（ここでは圧送される整流的流れを「後方巻き込み流」と称する。）することによって、流体の直進力（噴射力）を加速させることである。第２の目的は、二重回転羽の構造を工夫することによって、羽根本体の破食（エロージョン）の低減化を図ることである。第３の目的は、ポンプ全体をコンパクト化することができることである。第４の目的は、二重回転羽の製作が容易であると共に、各構成部材を簡単に組み合わせることができることである。
【課題を解決するための手段】
【０００９】
本発明の電動ポンプは、駆動源の駆動力によりそれぞれ別個に回転する二重回転羽と、これらの二重回転羽を軸受け手段を介して回転自在に支持する筒状の支持部材とを備えた電動ポンプであって、前記二重回転羽は、該二重回転羽の外部に設けられた単数又は複数個の駆動源の駆動力により互いに逆方向に回転し、また、前方に位置する軸なし第１反転回転羽と、該第１反転回転羽に対して後方に位置する軸なし第２反転回転羽は、それぞれ一端面から他端面に至るまで流体を一方向へと案内する中空部を有する筒状体と、これらの筒状体の内周面にそれぞれ螺旋状外周端が気密状に固定された幅広の羽本体とから成り、前記第２反転回転羽は、前記第１反転回転羽で生じた前方巻き込み流を受け入れ、かつ、逆方向に直しながら後方巻き込み流として圧送することを特徴とする。
【発明の効果】
【００１０】
（１）前方の第１反転回転羽で生じた「前方巻き込み流」を、後方の第２反転回転羽で受け入れ、かつ、逆方向に直しながら「後方巻き込み流」として圧送することができる。したがって、前方巻き込み流が後方巻き込み流によって、いわば流れが整流（或いは流れが相殺）され、流体の直進力（噴射力）を加速させることができる。
（２）第１・第２の反転回転羽は、それぞれ一端面から他端面に至るまで流体を一方向へと案内する中空部を有する筒状体と、これらの筒状体の内周面にそれぞれ螺旋状外周端が気密状に固定され、かつ、一端面から中空部に流れ込んだ流体を螺旋面に沿って流すように幅広の羽本体とから成るので、羽根本体の破食（エロージョン）の低減化を図ることができる（抵抗力の低減化）。
（３）第１・第２の反転回転羽は、軸なしであることから、ポンプ全体をコンパクト化することができる。
（４）請求項３に記載の発明は、各構成部材を簡単に組み合わせることができる。
【発明を実施するための最良の形態】
【００１１】
以下、図１乃至図１０に示す本発明を実施するための最良の形態（第１実施例）により説明する。
【００１２】
（１）発明の実施の環境
図１は発明の実施の環境を示す概略説明図である。図１に於いて、Ｘは電動ポンプ、１は電源ＯＮ，ＯＦＦの情報、駆動モータの回転数に関する情報等を選択入力するための入力手段、２は演算又は検索機能を有する制御部、３は駆動モータの回転数に関する情報を記憶する記憶部、４は制御部２が記憶部３から取得した回転数に関する情報、駆動モータの起動状況等を表示する表示部、５は反転回転羽の中を流れる流体（気体、又は液体）、６は制御部２の制御信号により制御される複数個の駆動モータである。
【００１３】
本発明の電動ポンプＸは、後述するように、駆動源の駆動力によりそれぞれ別個に回転する二重回転羽と、これらの二重回転羽を軸受け手段を介して回転自在に支持する長筒状の支持部材とを備えている。
【００１４】
ところで、本発明は、流体５を圧送（噴射も含む）するのに適合する電動ポンプであり、例えば船の推進装置を構成する電動ポンプとして利用される。したがって、動産（自動車、飛行機、船舶等の移動体も含む）、不動産に対する具体的な取り付け構造は省略する。
【００１５】
図１の電動ポンプＸは、複数個の駆動モータ６，６を有する実施例である。各駆動モータ６，６は、ベース板上に所要間隔離間して配設されているので、例えば配管ラインに適用する場合には、タンク、容器等の供給源、供給管、排出管、被供給物等が電動ポンプＸに適宜に連結される。もちろん、用途如何によっては、タンク、容器等の供給源や被供給物は必要なく、少なくとも流体５が電動ポンプＸに圧送されれば良い。また、駆動モータ６，６の回転数は、流体の直進力（噴射力）を加速させる場合には、望ましくは同一である（回転数を変えないようにする）。
【００１６】
（２）支持部材
図１参照にして支持部材１１を説明する。第１実施例の支持部材１１は、駆動源６が複数個（２個）の駆動モータであることから、駆動モータ６，６の配設箇所、該駆動モータ６の駆動力の伝達手段の位置、駆動力によって回転される回転羽の支持構造等を考慮して適宜に設計されている。支持部材１１は、電動ポンプＸのベース板ないしケーシングに相当する。
【００１７】
しかして、１２は床面Ｆに載置される矩形状のベース板で、このベース板１２は長板状に形成されている。ベース板１２は固定部材に相当し、図示しない固定手段を介して床面Ｆに固定される。このベース板１２上に各駆動モータ６，６が所要間隔離間してそれぞれ固定的に一対配設されている。
【００１８】
１３はベース板１２上の適宜箇所（図１では左側、中間、右側）に合計３枚に配設された環状対向板である。これら３枚の環状対向板１３は、後述する反転式回転羽をそれぞれ支持することができるように所定間隔を有して離間している。本実施例のベース板１２と複数枚の対向板１３は、実施例如何によっては、金属又は合成樹脂材により一体成形することも可能であるが、本実施例では、複数枚の対向板１３は、図示しない固着手段、連結板等を介して互いに分離可能に一体的に結合している。
【００１９】
ここで、図２を参照にして前方に位置する軸なし第１反転回転羽２１を支持する前方環状対向板１３と中間環状対向板１３の構成を説明する。なお、後方に位置する軸なし第２反転回転羽２１を支持する前記中間環状対向板１３と後方環状対向板１３との関係は、前記前方環状対向板１３と中間環状対向板１３との関係（組み合わせ関係）と同様なので、各環状対向板１３には、説明の便宜上同一の符号を付して重複する説明を省く。
【００２０】
さて、図２に於いて、各対向板１３は、ベース板１２に連設する立ち上がり部分１３ａと、この立ち上がり部分１３ａに連設する環状部分１３ｂと、この環状部分１３ｂの内壁面から突出する筒状嵌合部１３ｃとを有する。中間環状対向板１３の場合には左右に一対の筒状嵌合部１３ｃ，１３ｃがある。
【００２１】
本実施例の筒状嵌合部１３ｃは、対向板１３の中心部に突設され、後述する各反転回転羽２１の筒状体２２の両端部にそれぞれ内嵌合（嵌挿）する。
【００２２】
ところで、各筒状嵌合部１３ｃの外周壁の適宜個所には周溝が形成され、該周溝にはリング状のシール部材１４がそれぞれ嵌め込まれる。また、本実施例では、各筒状嵌合部１３ｃ，１３ｃの外周壁には、左右一対、或いは前後一対の軸受け部材用保持手段１５，１５がそれぞれ固定的に設けられている。
【００２３】
保持手段１５はゴムなどの弾性力（ダンパー性）がある材質で形成され、前記環状部分１３ｂの内壁面に密着状態に添設される環状の添設部分１５ａと、この添設部分１５ａの周端部に環状に突設された保持部分１５ｂとから成り、前記保持部分１５ｂに内輪、外輪、玉等から成る軸受け手段１６が保持されている。
【００２４】
したがって、軸受け手段１６の内輪を備えた反転回転羽２１は、支持部材１１の筒状嵌合部１３ｃと保持手段１５の保持部分１５ｂの両方によってサンドイッチ状に支持された状態で回転自在に回転する。
【００２５】
なお、反転回転羽２１は、設計如何により、二重筒、三重筒等にすることも可能であるが、極力シンプルな構造であることが望ましい。また、ベース部材１２、駆動源６は、用途如何によっては上方に配設される。
【００２６】
（３）二重反転回転羽の回転態様
二重反転回転羽は、該二重反転回転羽の外部に設けられた複数個の駆動源６，６の駆動力により互いに逆方向に回転する。この二重反転回転羽の用語に関し、ここでは、図１を基準にして、前方に位置する軸なし回転羽を「第１反転回転羽」と称し、一方、該第１反転回転羽に対して後方に位置する軸なし回転羽を「第２反転回転羽」とも称する。
【００２７】
前述したように、駆動モータ６，６の回転数は、流体の直進力（噴射力）を加速させる場合には、望ましくは同一である。したがって、第１反転回転羽２１と第２反転回転羽２１は、各駆動源６の駆動源により、かつ、支持部材１１の筒状嵌合部１３ｃ及び筒状保持手段１５に挟持状態にそれぞれ保持された状態で共に同じ回転数でそれぞれ逆方向に回転する。
【００２８】
（４）二重反転回転羽の構造
第１反転回転羽２１と第２反転回転羽２１は、いわば「右ネジ」と「左ネジ」（或いは「左ネジ」と「右左ネジ」）の関係にあり、基本的構成は同一なので、説明の便宜上同一の符号を付し、重複する説明を省略する。
【００２９】
さて、図１で示すように、前方に位置する軸なし第１反転回転羽２１と、該第１反転回転羽２１に対して後方に位置する軸なし第２反転回転羽２１は、それぞれ一端面２２ａから他端面２２ｂに至るまで流体５を一方向へと案内する中空部２３を有する筒状体２２と、これらの筒状体２２の内周面２２ｃにそれぞれ螺旋状外周端２４ａが気密状に固定され、かつ、一端面２２ａから中空部２３に流れ込んだ流体５を螺旋面に沿って流すように幅広に形成された羽本体２４とから成る。
【００３０】
そして、前記第２反転回転羽２１は、前記第１反転回転羽２１で生じた前方巻き込み流５ａを受け入れ、かつ、逆方向に直しながら後方巻き込み流５ｂとして圧送する。
【００３１】
（５）第１反転回転羽２１の具体的構成
図３乃至図５は第１反転回転羽２１の一例を示す。これらの図から明らかなように、第１反転回転羽２１は、中空部２３を有する筒状体２２と、この筒状体２２の内周面２２ｃに外端部２４ａが固定され、かつ、一端面２２ａから中空部２３に流れ込んだ流体５を螺旋面に沿って流すように幅広に形成された曲面部分２４ｂを有する羽本体２４とから成る。
【００３２】
ところで、一般に羽本体は中心部を有するが、本発明の羽本体２４は、その中心部に中心軸が存在しないので、「シャフトレス（軸なし）」である。
【００３３】
前記筒状体２２は、外周面は多角形でも良いが、その内周面は、望ましくは円筒形状である。また、図３では短筒状に図示しているが、望ましくは長筒状に設計される。さらに、筒状体２２は用途如何により、半径を大きく、又は小さく設計される。筒状体２２の材質は、羽本体２４と同様に鋼材又は合成樹脂材である。
【００３４】
一方、前記羽本体２４の螺旋状外端部（外周端）２４ａは、筒状体２２の内周面２２ｃに気密状に固定（例えば溶着）されている。
【００３５】
しかして、図４は第１反転回転羽２１の正面視の概略説明図であるが、この第１反転回転羽２１の一端面２２ａ側を基準にして第１反転回転羽２１の構成を説明すると、第１反転回転羽２１は、仮想線で示した筒状体の環状部分２２と、この環状部分の内周面２２ｃに外周端２４ａが気密状に固定された羽本体２４の螺旋形状の幅広曲面部分２４ｂと、この幅広曲面部分２４ｂの非接続内端２４ｃで形成された流体の流路部分２４ｄから成る。
【００３６】
ここで、羽本体２４の形状について付言すると、例えば図３に於いて、第１反転回転羽２１の一端面２２ａを上方にし、一方、その他端面２２ｂを下方にした場合（図３を９０度回転した場合）には、羽本体２４は「螺旋式滑り台」の一部分を取り出した形状と同様である。
【００３７】
したがって、例えば図５を参照にして羽本体２４を説明すると、前方の断面幅広曲面部分２４ｂは上方に位置し、次にこれに連続する後方の断面幅広曲面部分２４ｂは下方に位置し、さらにこれに連続する後方の断面幅広曲面部分２４ｂは上方に位置するという具体に幅広曲面部分２４ｂが流体５の流れる方向に螺旋状に続いている。
【００３８】
そして、本発明の羽本体２４は主軸を有しないことから、羽本体２４の非接続内端２４ｃは流体の流路部分２４ｄを形成し、帯状の螺旋曲面部分２４ｂは流体５を掬うようにして流体の流路部分２４ｄに案内する機能を有する。図６は、駆動源の駆動力により第１反転回転羽２１が１８０度回転した状態を示している。
【００３９】
そこで、第１反転回転羽２１は、前方の位置する駆動源６の駆動力により、例えば流体５を巻き込むように反時計方向に回転する（図４）。本実施例では、回転羽２１は、前述したように軸受け部材１６を介して回転自在に回転し、流体５を図示しない供給管側から受け入れ、かつ、後方に位置する軸なし第２反転回転羽２１へと圧送する（図１）。
【００４０】
（６）第２反転回転羽２１の具体的構成
第２反転回転羽２１は、図８乃至図１０で示すように、第１反転回転羽２１を反転（羽本体２４の向く方向が異なる意味）した格好となる。例えば第１反転回転羽２１は図４で示すように流体を巻き込むように反時計方向に回転し、一方、第２反転回転羽２１は図９で示すように流体を巻き込むように時計方向へそれぞれ独自に回転したとしても、流体５の流れる方向は同一である。図７はそれを概念的に示した説明図である。
【００４１】
したがって、第２反転回転羽２１は、羽本体２４が反転している点を除き、その余の構成は第１反転回転羽２１と同一なので、同一の符号を付して重複する説明を割愛する。
【００４２】
（７）駆動源とその駆動損失の減少化
反転回転羽２１を回転する駆動源６は、単数又は複数個の駆動モータ又は電源である。駆動モータ６は、出力軸、歯車等を構成要件とし、一方、電源は、固定巻線を有する固定子、永久磁石を有する回転子を構成要件とする。
【００４３】
本実施例では、ポンプ全体をコンパクト化することができるように、支持部材１１のベース板１２の上面にそれぞれ固定的に設けた一対の駆動モータ６，６を用いている。
しかして、各駆動モータ６の駆動力は、それぞれ出力軸７に固定された駆動歯車８、各駆動歯車８とそれぞれ噛合する筒状体２２の外周壁に周設された各従動歯車９を介して前後の反転回転羽２１，２１にそれぞれ伝達される。
【００４４】
ところで、本実施例の第１反転回転羽２１（第２反転回転羽２１も同じ）は、駆動源６の駆動力により回転すると、その羽本体２４は筒状体２２と共に所定位置にて回転する。その結果、流体５は、帯状の螺旋状曲面部分２４ｂによって流体の流路部分２４ｄへと案内されながら、筒状体２２の一端面２２ａからその他端面２２ｂへと流れる。この時、羽本体２４の外周端２４ａは、筒状体２２の内周壁２２ｃに気密状態に接続していることから、キャビテーションによるスリップ現象が少ない共に、羽本体２４の非接続内端２４ｃ側の流体集束部分２４ｄに流体５が流れ込むから、流体の抵抗力が低減化する。換言すれば、普通一般の軸を有する回転羽に比して、旋回流によって発生する無駄なエネルギーが半減する。
【００４５】
（８）流体
供給源（タンク、容器など）に収納される流体５を列挙すると、液体水素、気体水素、電解溶液、高圧ガス、メタンガス、アンモニア、塩素ガス、都市ガス、ＬＰガス、天然ガス、水、油、食料に適する液体・流動体・半流動体、塗料やインクなど図示しない配管を利用して被供給源まで圧送することができる気体又は液体である。
【実施例】
【００４６】
この欄では、本発明の他の実施例について説明する。第１実施例と同一の部分には、同一の符号又は同様の符号を付し、重複する説明を省略する。
【００４７】
図１１に示す第２実施例の電動ポンプ（シャフトレスポンプ）Ｘ１に於いて、第１実施例と主に異なる点は、駆動源６が「１個」であることである。この第２実施例は、１個の駆動源６でベース板１２上の前後の反転回転羽２１，２１をそれぞれ逆方向に同じ回転数で回転させる構成であることから、駆動源６の第１の駆動歯車８を有する駆動軸７の先端部に第１傘歯車２６を固定し、該第１傘歯車２６に連動する歯車装置（第２傘歯車、第３傘歯車）２７を適宜（ベース板並びに受動軸）に配設し、前記駆動軸７に対して反対方向に回転し、かつ、第２の駆動歯車８を有する同軸上の従動軸２８を支持部材１１の対向板１３，１３に横設軸架している。
【００４８】
このように駆動源の数、動力伝達手段等を設計変更しても、本発明の本質的構成に基づく作用・効果は同一である。
【００４９】
次に、図１２乃至図１５に示す第３実施例の電動ポンプ（シャフトレスポンプ）Ｘ２に於いて、第１実施例と主に異なる点は、電動ポンプＸ２が誘導電動機型であること。
【００５０】
この電動ポンプＸ２の支持部材１１には、複数個の固定巻線３１をそれぞれ有する固定子（電機子鉄心）３２が前後に２個配設され、一方、これらの固定子（電機子鉄心）３２に対向する前後の回転羽２１Ａ，２１Ａが支持部材１１に回転自在に設けられている。
【００５１】
しかして、前後の回転羽２１Ａ，２１Ａの各筒状体２２，２２の外周壁には、図１４，図１５で示すように、直接又は間接的に各固定子３２に対して、空間部分３３を介してそれぞれ対向する環状永久磁石３４が配備されている。永久磁石３４は「Ｎ極」と「Ｓ極」が交互に設けられている。また、第１反転回転羽２１Ａの構成と、この第１反転回転羽２１Ａの後方に位置する第２反転回転羽２１Ａの構成は、羽本体２４が反転である点を除き同一である。
【００５２】
したがって、第２実施例の制御手段２に電気的に接続する駆動源６Ａは、前後の固定子３２，３２にそれぞれ磁界を発生させるために各固定巻線３１にそれぞれ給電をする電源である。前後の固定子の各固定巻線３１によりそれぞれ回転磁界が発生すると、前後の反転回転羽２１Ａ，２１Ａは、それぞれ逆方向に回転する。この場合、前後の反転回転羽２１Ａ，２１Ａの回転方向並びに回転数は、制御手段２により制御される。
【００５３】
ところで、本発明は、少なくとも反転回転羽（２１，２１Ａ）が新規事項であるから、反転回転羽２１，２１Ａの羽本体２４の螺旋回数を、少なくとも一捲き（一回転）にした実施例のみならず、二捲き（二回転）、三捲き（三回転）、四捲き（四回転）等にように所要の長さまで複数回連続的に設計した実施例、反転回転羽２１の羽本体２４を複数個（例えば、２個、３個、４個など）離間して長筒状体内にそれぞれ固定的に配設した実施例も本発明の請求項に含まれる。
【００５４】
なお、図１６は、本発明の用途の一例、例えば船Ｂの推進装置を示したものである。この実施例では、ボートＢの船尾側の船底に、エンジン６の駆動力で駆動する第２実施例の電動ポンプＸ１を固定的に取り付け、流体５を船底の吸い込み口から取りいれ、第１及び第２反転回転羽２１，２１を介して噴射する。
【産業上の利用可能性】
【００５５】
本発明は、主に配管用のポンプ業界で製造販売される。
【図面の簡単な説明】
【００５６】
図１乃至図１０は本発明の第１実施例を示す各説明図。図１１は本発明の第２実施例を示す説明図。図１２乃至図１５は本発明の第３実施例を示す各説明図。図１６は本発明の用途の一例を示す概略説明図である。
【図１】本発明の第１実施例を示す概略説明図。
【図２】主要部を示す概略説明図。
【図３】第１反転回転羽の一例を示す概略説明図。
【図４】第１反転回転羽の正面視（一端面）側から見た説明図。
【図５】図４の５−５線に基づく羽本体の説明図。
【図６】第１反転回転羽の回転状態を示す説明図。
【図７】第１反転回転羽と第２反転回転羽との位置関係及び回転方向を示す概略説明図。
【図８】第２反転回転羽の一例を示す図３と同様の概略説明図。
【図９】第２反転回転羽の一例を示す図４と同様の概略説明図。
【図１０】第２反転回転羽の回転状態を示す図６と同様の概略説明図。
【図１１】本発明の第２実施例を示す図１と同様の概略説明図。
【図１２】本発明の第３実施例を示す図１と同様の概略説明図。
【図１３】第３実施例の主要部を示す概略説明図。
【図１４】第１反転回転羽の一例を示す正面視（一端面）側から見た説明図。
【図１５】第２反転回転羽の一例を示す正面視（一端面）側から見た説明図。
【図１６】本発明の用途の一例を示す概略説明図である。
【符号の説明】
【００５７】
Ｘ，Ｘ１，Ｘ２…電動（シャフトレス）ポンプ、1…入力手段、２…制御手段、３…記憶手段、４…表示手段、５…流体、５ａ…前方巻き込み流、５ｂ…後方巻き込み流、６，６Ａ…駆動源、７…駆動軸（出力軸）、８…駆動歯車、９…従動歯車、１１…支持部材、１２…ベース板、１３…対向板、１３ａ…立ち上がり部分、１３ｂ…環状部分、１３ｃ…筒状嵌合部、１４…シール部材、１５…軸受け部材用保持手段、１５ａ…添設部分、１５ｂ…保持部分、１６…軸受け手段、２１，２１Ａ…反転回転羽、２２…筒状体、２２ａ…一端面、２２ｂ…他端面、２２ｃ…内周面、２３…中空部、２４…羽本体、２４ａ…外端部（外周端）、２４ｂ…幅広曲面部分、２４ｃ…非接続内端、２４ｄ…流体の流路部分、２６…第１傘歯車、２７…歯車装置、２８…従動軸、３１…固定巻線、３２…固定子、３３…空間部分、３４…永久磁石。
【図１】
2006097494.tif 000003
【図２】
2006097494.tif 000004
【図３】
2006097494.tif 000005
【図４】
2006097494.tif 000006
【図５】
2006097494.tif 000007
【図６】
2006097494.tif 000008
【図７】
2006097494.tif 000009
【図８】
2006097494.tif 000010
【図９】
2006097494.tif 000011
【図１０】
2006097494.tif 000012
【図１１】
2006097494.tif 000013
【図１２】
2006097494.tif 000014
【図１３】
2006097494.tif 000015
【図１４】
2006097494.tif 000016
【図１５】
2006097494.tif 000017
【図１６】
2006097494.tif 000018